(57)【要約】【課題】設定したプログラムを完了した後に、機器に入れた電池が二つの伝動機構の摺動により、予め設定した収納装置内に投げ込んで、電池の盗難を防止できる電池投下装置を提供すること。【解決手段】治具が設けられるテーブルを含み、該テーブルが伝動機構に可動的に枢設され、該伝動機構がさらに他の伝動機構上に架設され、該テーブルが垂直と水平の伝動機構に可動的に架設され、該投下装置の下方に複数の収納格子からなる収納機構が設けられ、使用時に、一つの収納格子を予め設定すると、機器に投入した電池がテーブル上の治具に挟まれ且つ所要プログラムを完了した後に、該テーブルが二つの伝動機構の摺動により、前後左右の二次元平面の移動を行い、設定した収納格子内に電池を投げ込む。【選択図】図２
0003126619.tif 000002
【実用新案登録請求の範囲】
【請求項１】
主に、機器内に投げ機構及び収納機構が設けられ、該投げ機構が収納機構の上方に設けられ、該機器が電池投入口及び取出し口を有し、該電池投入口には電池投下装置に接続した斜坂が設けられ、該収納機構の下方にも斜坂が設けられ、該斜坂が取出し口まで続いている電池の投下装置であって、
前記投げ機構は上方に治具が可動可能に設けられるテーブルを含み、且つ、該テーブルが伝動機構に可動的に枢設され、該伝動機構がさらに他の伝動機構上に架設され、該伝動機構により該テーブルが垂直方向と該垂直と交差する方向へ向けた二次元移動を可能に構成したことを特徴とする、
電池投下装置。
【請求項２】
該テーブルの底面に凹溝が設けられ、且つ、テーブル上に二つのモータが設けられるとともにテーブル上に枢設された治具がＬ字形状ベースに設けられ、該Ｌ字形状ベースの上方に上下昇降可能な押え板が設けられ、該Ｌ字形状ベースの傍側にギヤが連接され、該ギヤがテーブルに結合したモータ軸ギヤのうち一つに噛合い、該テーブルの他のモータ軸にギヤのあるモータが結合されたことを特徴とする、請求項１に記載の電池投下装置。
【請求項３】
該伝動機構が段差部のあるプレートに設けられ、該プレートの頂面に凸レールが設けられ、段差部の上側にのこ歯レールが設けられ、且つ、プレート底部の両側にモータがそれぞれ設けられ、該モータのモータ軸上にさらにモータ軸ギヤが結合されたことを特徴とする、請求項１に記載の電池投下装置。
【請求項４】
該テーブルが伝動機構のプレート上に重ね合い、凹溝と凸レールとが互いに嵌め合うとともに、該テーブルのモータ軸ギヤが該プレート段差部上のこ歯レールとが相互に噛合うことを特徴とする、請求項２または３に記載の電池投下装置。
【請求項５】
該伝動機構が二つの平行なロッドで、且つ、二つの平行なロッドの底縁にのこ歯レールが設けられたことを特徴とする、請求項１に記載の電池投下装置。
【請求項６】
該段差部が設けられた伝動機構が、二つの平行なロッドに設けた伝動機構上に亘って設けられ、該プレート底部両端のモータ軸ギヤと二つの平行なロッド底部ののこ歯レールとを相互に噛合わせることを特徴とする、請求項３または５に記載の電池投下装置。
【考案の詳細な説明】
【技術分野】
【０００１】
本考案は電池投下装置に係わり、様々なタイプの携帯式電子製品の電池充電器や電池電力チェッカや電池効率向上器に適応する電池投下装置に関するものである。
【背景技術】
【０００２】
科技の進歩に伴い、様々な新規型電子情報器材が続々現れ、携帯電話を例とし、その体積が小さく空間がかからず、且つ使用する上で非常に便利であるため、携帯電話の普及率が一人一機ほどの盛況になっている。通常、携帯電話には二つの電池が配備されていて、使用者が電量を充電交換して使用している。
【０００３】
しかし、二つの電池が配備されても、使用者が充電を忘れてしまうことがある。一旦電池の電力がなければ、携帯電話から電話データを探して使用することができなる。
この時、使用者が室外にいるとすれば、携帯電話の電池に充電をすることができず、公衆電話を探して使用しなければならない。
今の公衆電話は、コンイン式やテレフォンカードやＩＣカードなど三つの方式であるが、コンイン式の公衆電話は少なく、大部分がテレフォンカード及びＩＣカードに代えられている。
そのため、携帯電話を忘れて急いで連絡しようとすると、数少ないコンイン式の公衆電話を探すか、或いはテレフォンカードやＩＣカードを購入しなければならない。該テレフォンカードやＩＣカードの販売価額は１００元からであって高くないが、再使用の比率が極めて少なく、また、これらのカードを必ずしも持ち歩くとは限らないため、もう再度、携帯電話を忘れてしまうと、前記したステップを繰り返す必要がある。
【０００４】
前記問題を解決するため、コンイン式充電器が提案され、室外にいる使用者が充電をできるようになった。
しかしながら、該充電器が補充電量の要求を適時に供給できるが、該機器で充電を完了した後に、該電池が直ちに取出し口までに落ちて来て、充電完了の電池が他の人に盗られないように、使用者が機器の傍で待機しなければならないといった欠点がある。
【考案の開示】
【考案が解決しようとする課題】
【０００５】
本考案は、以上の点に鑑みて成されたもので、プログラム完成した電池を二つの伝動機構の摺動により、設定している収納装置内に投げられ、電池が盗難されることを防止する電池投下装置の提供することにある。
【課題を解決するための手段】
【０００６】
本考案の主な目的は、機器に入れた電池が設定のプログラムを完了した後に、電池が二つの伝動機構の摺動により、設定している収納装置内に投げられ、電池が失われることを防止する電池投下装置を提供することにある。
【０００７】
前記目的を達成すため、本考案が設計する電池投下装置は、治具が設けられるテーブルを含み、該テーブルが伝動機構に可動的に枢設され、該伝動機構がさらに他の伝動機構上に架設されることによって、該テーブルが二層の垂直交差の伝動機構に可動的に架設されるようになり、該投下装置の下方に複数の収納格子からなる収納機構が設けられ、使用の時に、一つの収納格子を予め設定し、機器に電池が入れた後、テーブル上の治具に挟まれ且つ所要プログラムが完成された後に、該テーブルが二つの伝動機構の摺動により、前後左右の二次元平面の移動を行い、設定された収納格子内にプログラムが完成された電池を投げるようになる。
【０００８】
すなわち、本願の第１考案は、主に、機器内に投げ機構及び収納機構が設けられ、該投げ機構が収納機構の上方に設けられ、該機器が電池投入口及び取出し口を有し、該電池投入口には電池投下装置に接続した斜坂が設けられ、該収納機構の下方にも斜坂が設けられ、該斜坂が取出し口まで続いている電池の投下装置であって、前記投げ機構は上方に治具が可動可能に設けられるテーブルを含み、且つ、該テーブルが伝動機構に可動的に枢設され、該伝動機構がさらに他の伝動機構上に架設され、該伝動機構により該テーブルが垂直方向と該垂直と交差する方向へ向けた二次元移動を可能に構成したことを特徴とする、電池投下装置を提供する。
本願の第２考案は、該テーブルの底面に凹溝が設けられ、且つ、テーブル上に二つのモータが設けられるとともにテーブル上に枢設された治具がＬ字形状ベースに設けられ、該Ｌ字形状ベースの上方に上下昇降可能な押え板が設けられ、該Ｌ字形状ベースの傍側にギヤが連接され、該ギヤがテーブルに結合したモータ軸ギヤのうち一つに噛合い、該テーブルの他のモータ軸にギヤのあるモータが結合されたことを特徴とする、前記第１考案に記載の電池投下装置を提供する。
本願の第３考案は、該伝動機構が段差部のあるプレートに設けられ、該プレートの頂面に凸レールが設けられ、段差部の上側にのこ歯レールが設けられ、且つ、プレート底部の両側にモータがそれぞれ設けられ、該モータのモータ軸上にさらにモータ軸ギヤが結合されたことを特徴とする、前記第１考案に記載の電池投下装置を提供する。
本願の第４考案は、該テーブルが伝動機構のプレート上に重ね合い、凹溝と凸レールとが互いに嵌め合うとともに、該テーブルのモータ軸ギヤが該プレート段差部上のこ歯レールとが相互に噛合うことを特徴とする、前記第１または第２考案に記載の電池投下装置を提供する。
本願の第５考案は、該伝動機構が二つの平行なロッドで、且つ、二つの平行なロッドの底縁にのこ歯レールが設けられたことを特徴とする前記第１考案に記載の電池投下装置を提供する。
本願の第６考案は、該段差部が設けられた伝動機構が、二つの平行なロッドに設けた伝動機構上に亘って設けられ、該プレート底部両端のモータ軸ギヤと二つの平行なロッド底部ののこ歯レールとを相互に噛合わせることを特徴とする、前記第３または第５考案に記載の電池投下装置を提供する。
【考案を実施するための最良の形態】
【０００９】
以下に添付した図面を参照しながら考案を実施するための最良の形態について説明する。
図１を参照して本考案の電池投下装置１について説明する。
本考案の電池投下装置１は、主にテーブル１０を具備する。該テーブル１０の底部に凹溝１０１が設けられ、且つ、テーブル１０上にＬ字形状ベース１１が可動的に枢設されている。
テーブル１０には二つのモータ１２、１３が固着され、該二つのモータ１２、１３のモータ軸がそれぞれモータ軸ギヤ１２１、１３１に結合され、挟み用のための治具を形成するように、該Ｌ字形状ベース１１が上下昇降可能な押え板１１１を設ける。
また、該テーブル１０の一側にはギヤ１１２が連接されるとともに、該ギヤ１１２がモータ軸ギヤ１２１に噛合い且つ制御される。
さらに、該テーブル１０が伝動機構１４上に重ね合わされている。該伝動機構１４は段差部のあるプレートに設けられる。該プレートの頂面に凸レール１４１が設けられている。段差部の頂面にのこ歯レール１４２が設けられ、且つ、プレート底部の両側にモータ１４３がそれぞれ設けられている。該モータ１４３のモータ軸がさらにモータ軸ギヤ１４４に結合され、該伝動機構１４が他の伝動機構１５上に亘って設けられている。該伝動機構１５は二つの平行なロッドで、且つ、二つの平行なロッドの底縁にのこ歯レール１５１が設けられている。該のこ歯レール１５１がモータ軸ギヤ１４４と相互に噛合うことによって、該テーブル１０が二つの伝動機構１４、１５により前後左右の二次元平面を移動する。
【００１０】
本考案の電池投下装置は、電池充電器や電池電力チェッカまたは電池効率向上器に設置できる。本実施例では電池充電器を例として説明する。
図２に示すように、該充電機器３は、電池投入口３０１、制御パネル、コンイン口（図に示さず）及び取出し口３０３を有する。該充電機器３の内部には本考案に係る電池投下装置１、及び収納機構２が設けられている。該電池投下装置１は収納機構２の上方に設けられる。電池投入口３０１には電池投下装置１のＬ字形状ベース１１に接続した斜坂が設けられる。該収納機構２の下方にも斜坂３０２が設けられる。該斜坂３０２が取出し口３０３までへ伸び出している。
該収納機構２は複数の収納格子より二次元アレイを整列し、収納格子毎の底部の一側にそれぞれ可動可能な底板が枢合され、かつ、底板ごとにスイッチを介して開閉制御がされ、該スイッチが充電器の制御パネルに接続されている。
【００１１】
使用する時は、先ず、該充電機器３の制御パネルにより収納機構２内のある特定の収納格子を選定する。
例えば、３列目３行目の収納機構２を選定する時には、同時に制御パネルにより３列目３行目の収納格子スイッチを起動するキーワード及び充電時間を設定し、設定した後に、コンインをコンイン口に入れる。つぎに、電池４を電池投入口３０１から充電機器３内に投入する。該電池４を投入する際には充電機器３の指示に従う。例えば、電池４の接触端子を前向きに上置き、または左向きに下置き等に応じなければならない。
投入された該電池４は電池投下装置１のＬ字形状ベース１１上を滑り、該Ｌ字形状ベース１１上の押え板１１１が下がって電池４を安定に押えて充電する。
この充電時間内において、充電機器３の傍で待機する必要がないため、電池の所有者は充電機器３から離れることができる。
充電時間が終了すると、該Ｌ字形状ベース１１が枢合されたテーブル１０がモータ１３により起動し、モータ軸ギヤ１３１をのこ歯レール１４２に３列収納格子まで移動させる。
さらに、モータ１４３により起動し、同様にモータ軸ギヤ１４４をのこ歯レール１５１の上に所要の距離までへ移動させる。
即ち、３行目収納格子の上方へ移動し、この時、該Ｌ字形状ベース１１上の押え板１１１が上昇し、且つ、該テーブル１０上のモータ１２が起動され、モータ軸ギヤ１２１がギヤ１１２を同期に連動し、Ｌ字形状ベース１１を下向きに一角度傾斜させ、Ｌ字形状ベース１１上に置かれた電池４を３列目３行目の収納格子内に滑り込ませる。
図３に示すように、電池４の所有者が充電機器３の傍にいるか否かにも関わらず、該充電機器３が次の電池の充電動作を実行できる。
使用者が充電を完了した電池４を取ろうとするときは、暗証番号のみを制御パネルに入力して、底板の開きを制御すれば、３列目３行目の収納格子内に置かれた電池４が落ちて、斜坂３０２へ沿って底部までに滑り、取出し口３０３から電池４を取り出すことができる。
【００１２】
以上の記載は単に本考案の好ましい実施例に過ぎなく、本考案の特徴を限定するものではなく、いずれの当該分野における通常の知識を有する専門家が適宜行なう変換や修飾等が本考案に含まれることは言うまでもない。
【図面の簡単な説明】
【００１３】
【図１】図１は、本考案による実施例の斜視外観図である。
【図２】図２は、本考案による実施例が充電機器に取り付けられたことを示す平面図である。
【図３】図３は、図２の電池充電完了の動作を示す図である。
【符号の説明】
【００１４】
１・・・・・・電池投下装置
１０・・・・・テーブル
１０１・・・・凹溝
１１・・・・・Ｌ字形状ベース
１２、１３・・モータ
１２１、１３１・・モータ軸ギヤ
１１１・・・・・押え板
１１２・・・・ギヤ
１４・・・・・伝動機構
１４１・・・・凸レール
１４２・・・・のこ歯レール
１４３・・・・モータ
１４４・・・・モータ軸ギヤ
１５・・・・・伝動機構
１５１・・・・のこ歯レール
２・・・・・・収納機構
３・・・・・・充電機器
３０１・・・・電池投入口
３０３・・・・取出し口
３０２・・・・斜坂
４・・・・・・電池
【図１】
0003126619.tif 000003
【図２】
0003126619.tif 000004
【図３】
0003126619.tif 000005